(57)【要約】【課題】ラップフィルムを使い切った後、ラップフィルムのロールのみを取り換えて繰り返し使用可能なラップホルダーを提供する。【解決手段】  空芯のラップフィルムロール１を収納しラップフィルムを引出して切断する切断刃７を有する容器３と、容器３内にラップフィルムロール１の空芯に挿通され、これを軸周りに回転可能に固定する支軸２を備える。支軸２は、倒伏可能かつ前記ラップフィルムロール１の長さに応じて固定位置が可変とされたロールストッパー２１を備える。【選択図】図２
0003211865.tif 000002
【実用新案登録請求の範囲】
【請求項１】
空芯のラップフィルムロールを収納しラップフィルムを引き出して切断する切断刃を有する容器と、該容器内に装着され無芯のラップフィルムロールの空芯に挿通されこれを軸周りに回転可能に固定する支軸を備え、前記空芯部に挿入された支軸が、倒伏可能かつ前記ラップフィルムロールの長さに応じて固定位置が可変とされたロールストッパーを備えていることを特徴とするラップホルダー。
【請求項２】
前記容器は、空芯に挿入された支軸を固定する容器本体と、これに対して開閉自在に設けられた蓋体を備えており、前記容器本体には、引き出したラップフィルムの端部を貼着係止可能にされたテーブル板が前記容器本体から外部に延出して設けられていることを特徴とする請求項１に記載のラップホルダー。
【請求項３】
ロールストッパーが支軸に嵌装されたリングであることを特徴とする請求項１又は２に記載のラップホルダー。
【考案の詳細な説明】
【技術分野】
【０００１】  本考案は食品等の包装に用いられるラップフィルを収容するホルダーに関し、紙管等に巻かれた空芯のロール状のラップフィルムを収納し、収納されたラップフィルムを、その使用に際して引き出し、所望の長さに切断する詰替式のラップホルダーに関するものである。
【背景技術】
【０００２】  食品等の包装に用いられるラップフィルムは、一般に、紙筒に巻回された長尺フィルムのロールとして紙箱内に収納される。そして使用に際しては、ラップフィルムをロールから連続的に繰り出し、紙箱に設けられた切断刃を用いて所望の長さに切断して使用する。【０００３】  ところで、ラップフィルムを使い切った後に生じる紙製空箱及び中芯の紙管は、焼却処分又は廃棄処分されている。このように、従来市販のラップにおいては、紙製空箱及び中芯の紙管の廃棄物が発生するという問題点があった。【０００４】  このため、紙管に巻装されたラップフィルムを収納する容器を合成樹脂で成形し、ラップフィルムの使用後に残った紙管のみをこの容器から取り出し、新しいラップを容器に収納して、この容器を繰り返し使用するカッター付ラップフィルム用詰替容器等が種々提案されている（例えば、特許文献１〜４参照。）。
【先行技術文献】
【特許文献】
【０００５】
【特許文献１】特開平７−２３２７４１号公報
【特許文献２】特開２００２−２７１５号公報
【特許文献３】特開平１０−８６９４６号公報
【特許文献４】特開２００２−４６９４４号公報
【考案の開示】
【考案が解決しようとする課題】
【０００６】  本考案は、ラップフィルムを使い切った後、ラップフィルムのロールのみを取り換えれば、ロールの収納用容器及びロールを容器内に係止するための軸芯を繰り返し使用することができる詰替え式のラップホルダーを提供することを目的とする。
【課題を解決するための手段】
【０００７】  このため本考案のラップホルダーは、空芯のラップフィルムロールを収納しラップフィルムを引出して切断する切断刃を有する容器と、該容器内に装着され無芯のラップフィルムロールの空芯に挿通され、これを軸周りに回転可能に固定する支軸を備え、前記空芯部に挿入された支軸が倒伏可能かつ前記ラップフィルムロールの長さに応じて固定位置が可変とされたロールストッパーを備えていることを第１の特徴とする。
また、前記容器は、空芯に挿入された支軸を固定する容器本体と、これに対して開閉自在に設けられた蓋体を備えており、前記容器本体には、引き出したラップフィルムの端部を貼着係止可能にされたテーブル板が前記容器本体から外部に延出して設けられていることを第２の特徴とする。さらに、ロールストッパーが支軸に嵌装されたリングであることを特徴とする。
【考案の効果】
【０００８】  本考案の詰替え式ラップホルダーによれば、容器及び軸芯及び切断刃を繰り返し使用することができ、従来における、紙製空箱や紙管による可燃ゴミの発生を防止でき、資源の有効利用に貢献できると共に、経済的である。
また、テーブル板に、巻き戻り防止テープを設けたので、引き出したフィルムの端面をこのテープに貼着させることで、フィルムの巻き戻りを防止することができる。
また、市販されている箱付きのラップでも箱無しのいずれでも使用でき、長さのことなる長短いずれのラップでも使用できる。
さらに、テーブル板を設けたことで、ラップ引出具を有効に使用できる。
【図面の簡単な説明】
【０００９】
【図１】本考案に係るラップホルダーの斜視図である。
【図２】本考案に係るラップホルダーの開蓋状態を示す斜視図である。
【図３】支軸の倒付動作を示す斜視図である。
【図４】本考案に係るラップホルダーの拡大側面図である。
【図５】ラップ引き出し具の一例を示す斜視図である。
【図６】ラップ引き出し具の使用例を示す斜視図である。
【図７】（ａ）はラップホルダーの要部拡大斜視図、（ｂ）引出具をテーブル板に保持した状態を示す斜視図である。
【考案を実施するための形態】
【００１０】  以下に、本考案に係るラップホルダーの好ましい一実施形態について、図面を参照しながら説明する。
本実施形態の詰替え式ラップホルダーは、図１及び図２に示すように、空芯のラップフィルムロール１を収納し、ラップフィルムロール１を切断する切断刃７を有する容器３と、この容器３内に装着されたラップフィルムロール１の空芯に挿通されてこれを軸周りに回転固定する支軸２を備え、空芯部分に挿入された支軸２が、図３に示すように倒伏可能かつラップフィルムロール１の長さに応じて固定位置が可変とされた支軸１に嵌装されたリング状のロールストッパー１を備えている。
【００１１】  また、図４に示すように、容器３は、空芯に挿入された支軸１を固定する容器本体３２と、これに対して開閉自在に設けられたその上面に取手３３を有する蓋体３１を備えており、容器本体３２には、引き出したラップフィルム１の端部を巻き戻り防止テープ６により、貼着係止可能にされたテーブル板４が容器本体３２から外部に延出して設けられている。図中、５はテーブル板４の中央部に設けられた切り欠きで、切断した後のラップ端９を引き出すための手掛かりとなる。
【００１２】  無芯のラップフィルムロール１は、図２に示すように、ラップフィルムを芯無しでロール状に巻回したもので、その始端部１２が止着テープ１３で止着されている。
【００１３】  ラップフィルム１の材質としては、特に制限はないが、エチレン単独重合体、エチレン−α−オレフィン共重合体、エチレン−酢酸ビニル共重合体、エチレン−アクリル酸エチル共重合体、エチレン−メタクリル酸エチル共重合体、プロピレン単独重合体、プロピレン−α−オレフィン共重合体、ポリブテン−１、ブテン−α−オレフィン共重合体等の可塑剤及び塩素を含まないポリオレフィン系樹脂（この場合、エチレン、プロピレン、ブテン等と共重合されるα−オレフィンとしては、炭素数２〜８のα−オレフィンが好ましい）や、ポリ塩化ビニル樹脂、ポリ塩化ビニリデン樹脂等が挙げられる。
【００１４】  中でも、上述の可塑剤及び塩素を含まないポリオレフィン系樹脂は、可塑剤のブリードアウトによる環境ホルモンの問題、及び焼却時における塩化水素等の有毒ガスの発生や毒性の高い燃焼残渣の発生等がないことから、環境問題等からも安全性に優れており特に好ましい。エチレン単独重合体やエチレン−α−オレフィン共重合体は、高密度ポリエチレン（ＨＤＰＥ）、中密度ポリエチレン（ＭＤＰＥ）、低密度ポリエチレン（ＬＤＰＥ）、線状低密度ポリエチレン（ＬＬＤＰＥ）、極低密度ポリエチレン（ＶＬＤＰＥ）、超低密度ポリエチレン（ＵＬＤＰＥ）等と呼ばれる場合もある。
【００１５】  ラップフィルム１を形成するフィルムの厚みは、好ましくは５〜３０μｍであり、特に好ましくは７〜１５μｍである。フィルムの厚みが５μｍ未満であると強度的に弱く、またフィルムの厚みが３０μｍ超であるとゴワゴワし、ラップ包装の際に被包装物に密着しない。また、ラップフィルム１の層構造は、単層構造でも、多層構造の何れでもよい。
【００１６】  ラップフィルムについての引張弾性率、伸び、収縮応力等の物性は、特に制限されない。
無芯ロール状ラップフィルム１の巻長さは、１０〜５００ｍが好ましい。無芯ロール状ラップフィルム１の軸心の中空部１１の径は、２０〜４５ｍｍφが好ましい。無芯ロール状ラップフィルム１の幅は、１００〜５００ｍｍが好ましい。
【００１７】  容器３について詳述すると、容器３は、図１〜図３に示すように、ラップフィルムロール１の空芯部に固定する支軸２を収納する容器本体３２に対して開閉自在に設けられた前方に突出したリップ３６を有する蓋体３１を備えている。閉蓋した状態で略六角柱状をなし、容器本体３２の後板と蓋体３１の後板とは、薄肉のヒンジ加工によって開閉自在に連結されている。
【００１８】  このため、容器本体３２と蓋体３１とは、図１に示す閉蓋状態から、図２に示すように、１８０度展開できるようになっている。容器本体３２の左右の側面には、それぞれ、ラップロール１及び支軸２を固定するための支持突起となるストッパー３４及び３５が設けられている。このストッパー３４及び３５の下端は、容器本体３２に対してヒンジ加工され、内外に開閉できるようになっている。そのため、図３に示すように、支軸２は倒伏可能に固定され、ラップフィルムロール１の交換を容易に行うことができる。
【００１９】  容器３は、耐久性が要求される反面、片手で持てる程度の軽量さも必要であり、また、水洗いや布巾での拭き取りをし易くするために、好ましくは合成樹脂から形成される。前記合成樹脂としては、ポリエチレン樹脂やポリプロピレン樹脂等のポリオレフィン系樹脂、ＡＢＳ樹脂、ポリスチレン樹脂、ポリメチルメタクリレート樹脂、ナイロン樹脂、テフロン（登録商標）樹脂、ポリアセタール樹脂、ＰＥＴ樹脂等の熱可塑性樹脂や、尿素樹脂、フェノール樹脂、メラミン樹脂、ポリエステル樹脂等の熱硬化性樹脂等を使用できる。中でも、本発明におけるラップフィルムは、食品包装用として使用される可能性が高いため、食品包装用容器として安全性の高いポリエチレン樹脂やポリプロピレン樹脂等のポリオレフィン系樹脂の使用が好ましい。
【００２０】  次に、支軸２について詳述する。
支軸２は、図２及び図３に示すように、ラップフィルムロール１の空芯部に挿通され、ラップフィルムロール１を固定するもので、その状態で容器３内に回転可能に装着することにより、ラップフィルムロール１を容器３内に回転可能に収納するものである。支軸２には、収容するラップフィルムロール１の長さに応じて固定位置が可変とされたロールストッパー２１が嵌装され、このロールストッパー２１を所望の位置に移動させることで市販されている長短様々な長さのラップを容器内に固定することができる。
【００２１】  次に、切断刃について説明する。
容器３の蓋体３１の前部リップ３６の先端部分には、ラップフィルム１を切断するための切断刃７が刃先を下向きにして設けられている。切断刃７の長さは、少なくとも無芯ロール状ラップフィルム１の幅以上は必要であり、容器３の長手方向全域に亘って設けられている。尚、切断刃７を内向きに傾斜させて配置すると安全対策上、好ましい。
【００２２】  切断刃７の材質としては、適切な剛性を有するものであれば、特に制限されない。切断刃７に適した材質として、鋼材、その他の金属、セラミックス又は容器本体若しくは蓋体と同材質の合成樹脂等が挙げられる。切断刃７の刃先の形状としては、切れ味をよくするために目立てをした鋭い直刃若しくはＶ字形や錘状等の鋸歯、特に鋸歯にする方が好ましいが、ギザギザ又は波形の形状に打ち抜いた程度の刃先でもラップフィルムの切断には充分な効果がある。家庭で使用することを前提にすればむしろこの方が安全である。
【００２３】  また、テーブル板４には、シリコンを主材とし両面テープやシールに使用される台紙（セパレートフィルム）と同一の樹脂を塗布するか又はこれを塗布した板を貼付してラップ密着面を設けると良い。つまり、引き出したフィルムの端面をこのラップ密着面に密着させることで、フィルムの巻き戻りを防止することができる。またフィルムとラップ密着面とは接着はするが、強く粘着するものではないので、引き剥がしも極めて容易にできる。また、ラップフィルム引出具のラップとの密着面をラップ表面と同質の滑面様に形成することによって、ラップフィルムの取り出しに際しては良好に粘着し、ラップの巻き戻りを確実に防止できる。
【００２４】  本実施例では、図４に示すように、テーブル板４の上面任意幅面に、切断刃７の切断位置よりも内方の位置に巻き戻り防止テープ６を積層して、引き出したフィルムの端面を貼着し、その巻き戻りを確実に防止するようにされている。本実施例では巻き戻り防止テープ６としてはポリエステル製のシールテープ（ＰＥＴ７５）を使用した。
【００２５】  また、テーブル板４の巻き戻り防止テープ６は、引き出したフィルムの端面を貼着させることで、フィルムの巻き戻りを防止することができる。この場合、フィルム端面と貼着面とは強固に粘着するものではないので、引き剥がしも極めて容易にできる。ここで、蓋体のリップの長さＬ１は２５ｍｍ、巻き戻り防止テープ６幅Ｌ３は４ｍｍ、テーブル端からテープ６までの距離をＬ２は４ｍｍとしている。
【００２６】  以上のように、本考案に係るラップホルダーによれば、使用者は、空芯のラップフィルロールのみの交換で、容器及び支軸を繰り返し使用することができる。このため、従来における、紙製空箱や中芯の紙管によるゴミの発生を防止でき、これらの材料に係る資源の有効利用に貢献できる。また、ラップフィルムの所定長さの引き出し作業を正確且つ容易に行うことができる。
【００２７】  また、図５乃至図７に示すように、ラップの引き出しには、ラップフィルム引出具９を用いると良い。ラップフィルム引出具９は、その全長に渡って密着面となる（折り返し片）がプレス加工して折り畳み可能に形成され、折線が筋入れ加工され、全面に渡って密着層１０が形成されている。この密着層１０の材料としては、ラップフィルムと同質の素材であるポリ塩化ビニリデン、ポリエチレン等のフィルムを使用し、そして、ラップフィルムと密着層１０の表面同士が適度に粘着し、ラップフィルムの取り出しに際しては良好な粘着性を有し、スムーズな引き出しを行うことができ、かつ、被包装物をラッピングした後のラップフィルム３を引出具９から容易に剥がすことができる。
【００２８】  このラップ引出具９は、稜の矢弦（ロールライン）状の折り目に沿って折り込んで、船底形または楕円形の平坦面が設けてあり、てこの作用により高い挟持力が得られ、軽微な握力でも確実に人手で掴み易く、ラップを引き出し易くなる。さらに、ロールラインを入れたことによる復元作用により自ずと開くので、ラップを外す際の剥離具合も良好になる。
【００２９】  以下にラップフィルム引出具９を用いて、容器３に収納されたラップフィルムを引き出して、料理等をラッピングする方法について説明する。
【００３０】  最初に、ラップフィルムの引き出し側の端縁に、ラップフィルム引出具９の一方の内面を貼着させる。このとき、図６に示すように、ラップフィルム引出具９の内面にはラップフィルムと同質の素材からなる密着層１０が形成されており、この密着層１０を人指により長手方向全体に渡って押圧する。とくにラップフィルムの引き出し側の端縁左右両端は強く押圧して粘着させるのが好ましい。その際は、引出具９を直接押圧しても良いし、蓋３ａの上から押圧しても良い。次に、ラップフィルム引出具９を折畳んでラップフィルムを挟持して引っ張って、ラップフィルムを所望する長さだけ引き出し、料理皿等を覆った後、容器３に取付けられた切断刃７により切断する。最後に、ラップフィルムを皿の形状に合わせて整えてラッピングが完了する。
【００３１】  また、図７（ｂ）に示すように、ラップフィルム引出具９は、使用後に引き出したロールの末端８に再び粘着させ、そのまま容器３の蓋体３２に挟み込んでおけば、紛失を防止でき収納場所にも困らない。また、ラップの引き出し端がロール本体に巻き付くことを防止でき、次に使用する際にも引き出す末端を残した状態となり清潔で便利である。
【符号の説明】
【００３２】１    空芯のラップフィルムロール
１１  空芯部
１２  始端部
１３  止着テープ
２    支軸
２１  ロールストッパー（リング）
３    容器
３１  容器本体
３２  蓋体
３３  取手
３４  側板ストッパー（支持突起）
３５  側板スットパー（支持突起）
３６  蓋体のリップ
４    テーブル板
５    切り欠き
６    巻き戻り防止テープ
７    切断刃
８    ラップ端
９    ラップ引出具
１０  密着層
【図１】
0003211865.tif 000003
【図２】
0003211865.tif 000004
【図３】
0003211865.tif 000005
【図４】
0003211865.tif 000006
【図５】
0003211865.tif 000007
【図６】
0003211865.tif 000008
【図７】
0003211865.tif 000009